(57)【特許請求の範囲】
【請求項１】
基盤と、
前記基盤に設けられ、刃を有する歯科治療用小器具を支持するガイド部材と、
前記基盤に前記ガイド部材の上方に位置して配置され、前記ガイド部材に支持された前記歯科治療用小器具のエッジを拡大する拡大鏡と、
前記基盤に設けられ、前記エッジを照明する照明手段と
を備えるエッジ検査装置において、
前記ガイド部材は、前記歯科治療用小器具のエッジ又はエッジ近傍を載置させ、載置位置に応じて前記エッジ又はエッジ近傍と前記拡大鏡との間の距離を可変させるガイド部を有する
ことを特徴とするエッジ検査装置。
【請求項２】
前記ガイド部が複数段の階段形状をなして設けられていることを特徴とする請求項１に記載のエッジ検査装置。
【請求項３】
前記ガイド部が円弧状をなして設けられていることを特徴とする請求項１に記載のエッジ検査装置。
【請求項４】
前記ガイド部材は、円筒形状をなし、前記ガイド部が上部開口端から周壁の周方向に沿い下方に向けて切り欠かれて設けられていることを特徴とする請求項１乃至３に記載のエッジ検査装置。
【請求項５】
前記ガイド部材は、周壁の一側に上端から階段状のガイド部が設けられ、周壁の他側に上端から円弧状のガイド部が設けられていることを特徴とする請求項４に記載のエッジ検査装置。
【請求項６】
前記ガイド部材は、前記基盤に回転自在に設けられたターンテーブルに設けられていることを特徴とする請求項４又は５に記載のエッジ検査装置。
【請求項７】
前記歯科治療用小器具のエッジは、歯科治療用スケーラの刃部であることを特徴とする請求項１に記載のエッジ検査装置。
【発明の詳細な説明】
【０００１】
【発明の属する技術分野】
本発明は、エッジ検査装置に関し、特に歯科治療用小器具の刃先（エッジ）の研磨状態、刃先の立ち具合や形状等を調べる場合に好適なエッジ検査装置に関する。
【０００２】
【従来の技術】
例えば、歯科治療には、各種の刃を有する歯科用小器具が使用されている。歯科治療の中でも、特に、歯石，歯垢の除去（スケーリング）や歯根面の滑沢化（ルートプレーニング）といった治療にはスケーラ、抜歯の治療にはへーベル、神経の治療にはリーマ等の小器具が用いられている。
【０００３】
図１に示すようにスケーラ１は、術者が握るハンドル１ａと、ハンドル１ａより延出したシャンク１ｂと、シャンク１ｂの先端に形成された刃部１ｃとからなる。スケーラ１は、治療する歯の形や部位あるいは各種処置内容に対応するためシャンク１ｂから刃部１ｃにわたる部分が、直線的な単純形状や三次元的に複雑に屈曲した形状等、様々な形状に加工されている。このようなスケーラ１としては、鎌形、くわ形、のみ形、キュレット等、各種形状のものが用意されている。尚、本願明細書では、シャンク１ｂと刃部１ｃの上面１ｄとのなす角度をシャンク角度（β）と称する（図１）。例えば、図１に示すようなシャンク角（β）が９０°のスケーラは、ユニバーサル・タイプ、シャンク角（β）が７０°のスケーラは、グレーシ・タイプと称される。
【０００４】
刃部１ｃは、所定範囲がえぐられるようにして形成されている上面１ｄと、上面１ｄの両脇の側面１ｅとにより形成され、上面１ｄと側面１ｅとの稜線がエッジ（以下「刃先」という）１ｆとなる。歯科治療において、切れ味の鋭い刃を有するスケーラを用いることは、スケーリング、ルートプレーニングを効率よく行い治療効果を高める上で極めて重要である。通常、図２に示すように、刃の上面１ｄと側面１ｅとがつくる刃先１ｆの角度（以下「研磨角度」という）αが７０〜８０°、好ましくは７８°であり、且つ刃先１ｆが立っていれば（エッジが立っていれば）、刃の切れ味は鋭く、鋭利な刃であるとされている。
【０００５】
ところで、前記スケーラ１は、硬い歯石を除去したり、歯根面上を研削したりするので、すぐに刃先１ｆの鋭利さが低下する。したがって、スケーリングやルートプレーニングの前にはスケーラ１の刃先１ｆの鋭利さが点検され、刃先１ｆを立たせるべく研磨が行われる。更に、使用中でもスケーラ１の鋭利さが低下したときには随時刃先１ｆの研磨が行われ、常に刃先１ｆが鋭利な状態（エッジが立っている状態）で治療が行われる。
【０００６】
スケーラ１の刃先１ｆの研磨は、手動又は電動で行う。手動の場合には、術者は、スケーラ１を一方の手に、砥石を他方の手に持ち、スケーラ１を固定して砥石を動かして研ぐ、或いは、砥石を固定してスケーラ１を動かして研ぐことにより研磨が行われている。このような手動式の研磨は、簡便であり、術中にも手軽に研磨を行うことができる。
【０００７】
一方、電動式の研磨装置は、スケーラ１を固定する固定手段と、回転砥石とを備えている。前記回転砥石は、円盤状の砥石が電動モーターにより回転するものであり、当該回転砥石の盤面を固定手段に固定されているスケーラ１の刃先１ｆの部分に押し当てることにより研磨が行われる。このとき、固定手段に固定されたスケーラ１の刃部１ｃの上面１ｄに対する回転砥石の盤面の角度は、一定角度（７０°または８０°）に設定されているので、研磨角度が一定角度の刃先を得ることができる。つまり、電動式の場合、熟練を要さずに鋭利な刃先を得ることが可能である。
【０００８】
【発明が解決しようとする課題】
しかしながら、手動によりスケーラを研磨する場合、研磨角度を７０〜８０°の適切な角度に保ちながらエッジを立たせて鋭く、且つ滑らかに研磨することは極めて難しい。つまり、手動による研磨は、熟練を要する作業であり、個人差が顕著に現れてしまう。更に、多人数で同一スケーラを用いるような場合には、同一の研磨角度を維持することは極めて難しい。また、電動研磨装置により研磨する場合には、砥石が自動的に高速回転するので、スケーラの刃を研磨し過ぎることがあり、刃の原形（形状）を損なってしまう虞がある。
【０００９】
スケーラの刃部は、極めて小さく、最も小さいものでは例えば、刃先の長さが2.0mm、厚みが0.5mm程度の大きさであり、従って、その研磨は、困難であり、且つ慎重に行うことが必要である。しかも、刃先を全体に均一（滑らか）に研磨することが必要である。また、スケーラには、シャンクから刃部に至る部分は三次元的に複雑に湾曲した形状のものがあり、刃先の小さいものにおいては刃先の研磨、研磨具合の確認、研磨角度が所定の角度（例えば、７８°）をなしてエッジが立ち、且つ滑らかな形状に研磨されているかどうかを調べることは非常に困難である。このため、スケーラの刃先を研磨する際に、刃先の研磨具合や研磨角度を簡単に確認したり調べることができる器具が望まれている。
【００１０】
本発明は、上述の点に鑑みてなされたもので、特に歯科治療用小器具の刃先の研ぎ具合や研磨角度、エッジの立ち具合や形状等を調べる際に好適なエッジ検査装置を提供することを目的とする。
【００１１】
【課題を解決するための手段】
上記目的を達成するために請求項１の発明に係るエッジ検査装置は、基盤と、前記基盤に設けられ、刃を有する歯科治療用小器具を支持するガイド部材と、前記基盤に前記ガイド部材の上方に位置して配置され、前記ガイド部材に支持された前記歯科治療用小器具のエッジを拡大する拡大鏡と、前記基盤に設けられ、前記エッジを照明する照明手段とを備えるエッジ検査装置において、前記ガイド部材は、前記歯科治療用小器具のエッジ又はエッジ近傍を載置させ、載置位置に応じて前記エッジ又はエッジ近傍と前記拡大鏡との間の距離を可変させるガイド部を有することを特徴とする。
【００１２】
請求項２の発明では、前記ガイド部が複数段の階段形状をなして設けられていることを特徴とする。請求項３の発明では、前記ガイド部が円弧状をなして設けられていることを特徴とする。請求項４の発明では、前記ガイド部材は、円筒形状をなし、前記ガイド部が上部開口端から周壁の周方向に沿い下方に向けて切り欠かれて設けられていることを特徴とする。
【００１３】
請求項５の発明では、前記ガイド部材は、周壁の一側に上端から階段状のガイド部が設けられ、周壁の他側に上端から円弧状のガイド部が設けられていることを特徴とする。
請求項６の発明では、前記ガイド部材は、前記基盤に回転自在に設けられたターンテーブルに設けられていることを特徴とする。
【００１４】
請求項７の発明では、前記歯科治療用小器具のエッジは、歯科治療用スケーラの刃部であることを特徴とする。使用者は、観察すべき被検査対象物、すなわち、歯科治療用小器具のエッジ又はエッジ近傍をガイド部材により支持し、照明手段により前記エッジを照明して拡大鏡により拡大して調べる（請求項１）。これにより、簡単にエッジの立ち具合等を確認し、又は調べることができる。複雑な形状のエッジを調べる場合、階段状をなすガイド部の中で前記拡大鏡の焦点位置に最適な位置のガイド部にエッジ又はエッジ近傍を載置して支持し、又は円弧状の曲面の最適位置にエッジ又はエッジ近傍をガイドする（請求項２乃至６）。これにより、前記エッジを良好に調べることが可能となる。歯科治療医用スケーラの刃部は、極めて小さく、しかも刃部は、正確な研磨角度で刃先（エッジ）が鋭く立ち、且つ滑らかに研磨されていることが要求される。このようなスケーラの刃部が正確に研磨されているか否か、また、滑らかな形状に研磨されているか否かを容易に確認し、又は調べることができる（請求項７）。
【００１５】
【発明の実施の形態】
以下本発明の実施形態を図面により詳細に説明する。
図３は、本発明に係るエッジ検査装置の正面図、図４は図３に示すエッジ検査装置の背面、図５は図３に示すエッジ検査装置の要部組立図である。図３及び図４に示すようにエッジ検査装置３は、基盤４と、この基盤４上に設けられたターンテーブル５、ガイド部材７、拡大鏡（ルーペ）８及び照明手段としての照明灯１１から成る。ターンテーブル５は、図５に示すように円盤状をなし、上部５ａが下部５ｂよりも僅かに小径とされて環状の段差５ｃをなしている。下部５ｂの外周面には滑り止めが施されており、下面中心にねじ軸５ｄが垂設されている。そして、ターンテーブル５の上面５ｅには目盛り６が全周（３６０°）に亘り刻設されている。目盛り６は、例えば、後述する図１０に示すように全周を０°〜９０°に四等分され、前記所定の研磨角度７８°の位置に目盛りが表示されている。このターンテーブル５は、ねじ軸５ｄが基盤４に穿設されたねじ孔４ａに螺合されて回転及び任意の高さ位置に昇降可能とされている。
【００１６】
尚、ターンテーブル５は、ねじ軸５ｄに代えて回転軸とし、その外周面に環状の溝を複数の高さ位置に設け、基盤４に軸孔を有するボスを設けて前記回転軸を回転自在に軸支すると共に、前記ボスに前記回転軸と直交するように係止用のねじを設け、その先端を前記回転軸の何れかの溝に係合させて前記ターンテーブル５をその高さ位置に回転自在に支持するようにしてもよい。
【００１７】
また、ターンテーブル５は、必ずしも回転及び昇降自在とする必要はなく、ねじ軸５ｄ及びねじ孔４ａに代えて単なる回転軸及び軸孔として基盤４に回転自在に載置するようにしても良い。
図３乃至図５に示すようにガイド部材７は、被検査対象物のエッジ又はエッジ近傍例えば、図１及び図２に示すスケーラ１のシャンク１ｂ、又は刃部１ｃを支持するためのもので、円筒形状をなし、下端７ａがターンテーブル５の上部５ａに着脱可能に外嵌されて段差部５ｃに係止可能とされている。ガイド部材７の周壁７ｂの上部には略一側半分に第１のガイド部７Ｇが、略他側半分に第２のガイド部７Ｇ'が設けられている。第１のガイド部７Ｇは、上端７ｃの両側近傍から左右対称に周方向に沿い、且つ下方に向かって階段状に下降して切り欠かれた段差部７g1、７g2、７g3から成る。第２のガイド部７Ｇ'は、上端７ｃの両側近傍から左右対称に下方に向かって円弧状に滑らかに下降して切り欠かれた下方に凸の曲面（円弧部）７ｓから成る。これらの第１、第２のガイド部７Ｇ、７Ｇ'が左右対称形状とされているのは、左用のスケーラ、右用のスケーラに対処し得るようにするためである。このガイド部材７は、半透明又は透明の樹脂部材により形成されており、当該ガイド部材７内への採光性の向上が図られている。また、ガイド部材７は、ターンテーブル５に着脱可能とされていることで、取り外して簡単に滅菌・消毒をすることができ、使い勝手が良く、衛生的である。
【００１８】
図３及び図４に示すように拡大鏡８は、ガイド部材７の上方に配置され、支持部材９により支持されている。支持部材９は、ターンテーブル５の例えば、僅か後方位置に垂設され、下端９ａが基盤４に固定され、支柱９ｂの上端に環状の支持部９ｃがターンテーブル５の上面に臨んで設けられている。拡大鏡（ルーペ）８は、支持部材９の環状の支持部９ｃに上方から着脱可能に装着されており、光軸がターンテーブル５の上面５ｅ（図５）の中心に垂直をなしている。拡大鏡８の下端とガイド部材７の上端とは、離隔対向しており、ガイド部７Ｇ、又は７Ｇ'への前記スケーラ１のシャンク１ｂの入出が可能とされている。また、拡大鏡８は、所望の倍率のものと任意に交換可能である。
【００１９】
図３及び４に示すように照明灯１１は、例えば、ペンシルタイプの細長い懐中電灯で、支持部材１２によりガイド部材７の側方斜め上方に配置されている。支持部材１２は、下端１２ａが基盤４に固定され、支柱１２ｂの上部１２ｃがガイド部材７側に向かって傾斜し、孔１２ｄ及び当該孔１２ｄに連通するスリット１２ｅが設けられている。照明灯１１は、照明方向をガイド部材７の上部に向けてグロメット１３を介してスリット１２ｅから孔１２ｄに着脱可能に装着支持される。この照明灯１１は、ガイド部材７に支持された被検査対象物のエッジ部分を照明する。このように照明灯１１として懐中電灯を使用することで携帯性に優れた簡易型とすることができる。尚、支持部材１２の上部１２ｃに孔１２ｄ及びスリット１２ｅを複数段設け、照明灯１１の取り付け位置を変えて照明位置を調節可能としても良い。この支持部材１２は、構造が極めて簡単であり、簡易型のエッジ検査装置３に好適である。尚、照明灯１１の支持部材１２としては、屈曲自在な例えば、蛇腹タイプの支柱を使用しても良い。
【００２０】
また、ターンテーブル５のねじ軸５ｄの中心に小孔を穿設し、下方から照明光を照射するようにしても良い。この場合、光源から光ファイバを用いて前記小孔内に照明光を導くようにしても良い。
以下にエッジ検査装置の使用方法について説明する。
使用者（術者）は、図１に示すスケーラ１の刃部１ｃの側面１ｅを研磨して、刃先（エッジ）１ｆが所定の角度例えば、前述した７８°をなして立つように研いだ後図６に示すようにエッジ検査装置３のガイド部材７の例えば、段差部７g1にシャンク１ｂを載置して支持し、照明灯１１により刃部１ｃを照明して、拡大鏡８により刃先１ｆを調べる。このとき、シャンク１ｂから刃部１ｃに亘る部分が複雑に屈曲している場合には、拡大鏡８の焦点位置に刃先１ｆが位置するようにハンドル１ａを回して、或いはシャンク１ｂを載置する段差部を変えながら調べる。或いは、第２のガイド部７Ｇ'の曲面（円弧部）７ｓ上にシャンク１ｂを載置して焦点を合わせながら移動させて連続的に刃先１ｆを調べる。これにより、刃先１ｆが立ち上がり、且つ滑らかに研磨されているか否かを簡単に確認することができる。
【００２１】
また、拡大鏡８の倍率を変えたときには、ターンテーブル５を回転させてガイド７の高さを調節することで、当該拡大鏡の焦点位置に合わせてスケーラ１の高さ位置を変えることができ、簡単に対処することが可能である。
また、刃先１ｆの研磨角度が正確に前記７８°に研磨されているか否かを調べる場合には、例えば、図７に示すような簡易型の角度検出器を使用する。この角度検出器２１は、本出願人が従前に特許出願（特願2000―329100号）したものである。角度検出器２１は、円柱状のホルダ２２の底面に強力なマグネット２３を埋め込み、上面に軸方向に沿って、周壁に半径方向外方に沿って互いに直角をなして３方向（Ｘ、Ｙ、Ｚ方向）に延出させて指示ピン２４、２５、２６を植設し、マグネット２３により検査対象物に吸着させてこれらの指示ピン２４〜２６により前記検査対象物の角度を検知するようにしたものである。
【００２２】
この角度検出器２１は、非常に小型に形成されており、例えば、ホルダ２２は、直径４mm程度、長さが６mm程度とされ、指示ピン２４〜２６は、太さが0.8 mm、長さが１０〜１５mm程度とされている。マグネット２３は、ホルダ２２の形状に応じて直径が1.5〜３mm、高さが２〜３mm程度の大きさの円盤状をなしている。また、現在使用されているスケーラの殆どは、少なくともシャンク及び刃部が磁性を有するステンレス鋼が使用されており、この角度検出器２１を用いて簡易的にスケーラ１の刃先１ｆの角度を調べることが可能である。
【００２３】
以下に角度検出器を用いてエッジ検査装置により簡易的に刃先１ｆの研磨角度を調べる場合について説明する。
図７に示すように例えば、スケーラ１の刃部１ｃの上面１ｄに角度検出器３を載置してマグネット２３により吸着固定することにより、指示ピン２４〜２６の方向から刃部１ｃの形状等を知ることができる。特に、シャンク１ｂが三次元的に複雑に変化している形状の場合、これらの指示ピン２４〜２６の指示する方向により、微少な刃部１ｃの形状等を容易に知ることが可能となる。
【００２４】
また、図７に示すようにシャンク１ｂと刃部１ｃの上面１ｄとが９０°の角度をなし（シャンク角βが９０°）、刃先１ｆの角度（研磨角度）αが７８°のスケーラ１において、刃先１ｆの角度を検出する場合には、図８（ａ）、（ｂ）に示すように側面１ｅに角度検出器２１のホルダ２２の下面即ち、マグネット２３を吸着させ、例えば、指示ピン２４を刃先１ｆの側方に延出させると共に指示ピン２６を刃先１ｆに沿って延出させると、指示ピン２５が上方（上面１ｄの方向）に延出する。この結果、微少な刃先１ｆの角度即ち、研磨角度αが指示ピン２５により拡大されて指示され、目視で検知することが可能となる。
【００２５】
そこで、図９に示すようにエッジ検査装置３を使用して更に正確に調べることができる。即ち、ターンテーブル５からガイド部材７を外して当該ターンテーブル５の上方にスケーラ１の刃先（エッジ）１ｆに角度検出器２１を取り付けて拡大鏡８を覗きながら、ターンテーブル５の目盛りを見て角度を調べる。尚、ガイド部材７は、ターンテーブル５に装着したままでも良いが、取り外した方が使い勝手がよい。
【００２６】
例えば、図８に示すようにスケーラ１の刃先１ｆに角度検出器２１を取り付けた場合には、図１０に示すように目盛り０°を基準線とし、当該基準線にスケーラ１の上面１ｄを平行にして指示ピン２６の基端を目盛りの中心に合わせ、指示ピン２５の方向が前記所定の角度７８°の目盛りを指しているか否かを調べる。この位置合わせをする場合、使用者（術者）は、スケーラ１を動かしても良く、或いは、ターンテーブル５を回転させてもよい。これにより、スケーラ１の刃先１ｆの研磨角度を簡単に且つ正確に調べることができる。従って、使用者（術者）は、研磨角度を調べながら刃先１ｆを正確に、且つ滑らかに研磨することができ、作業性の向上が図られる。尚、図１０においてスケーラ１及び角度検出器２１は、ターンテーブル５の目盛りとの関係を分かり易く説明するために透視して描いてある。
【００２７】
図１１は、ガイド部材の第２の実施形態を示し、平板１６の上端１６ａの両側から下方中央に向かって階段状に下降する段差部１６g1、１６g2、１６g3を複数段設けてガイド部１６Ｇを形成し、各段差部１６g1〜１６g3の何れかに前記スケーラ１のシャンク１ｂ、又は刃部１ｃを載置して支持するようにしたものである。このガイド部材１６は、基盤４の上面、且つ拡大鏡８（図３）の下方に設けた端面視凹状のホルダ１７に矢印方向に摺動自在に垂設され、所望の段差部に前記スケーラ１のシャンク１ｂ、又は刃部１ｃを載置して支持し、且つ前記拡大鏡８の下方に位置するように移動させて調べる。尚、段差部１６g1〜１６g3は、上述とは反対に両側部の下部位置から上端中央部に向かって段差状に形成しても良い。
【００２８】
図１２は、ガイド部材の第３の実施形態を示し、平板１８の上端１８ａの両側から下方中央に向かって下に凸の円弧状をなして滑らかに切り欠かれた曲面（円弧部）１８ｓを形成してガイド部１８Ｇとし、前記スケーラ１のシャンク１ｂ、又は刃部１ｃを載置して支持するようにしたものである。このガイド部材１８は、基盤４の上面、且つ拡大鏡８（図３）の下方に設けた端面視凹状のホルダ１７に矢印方向に摺動自在に垂設され、曲面１８ｓの所望の位置に前記スケーラ１のシャンク１ｂ又は刃部１ｃ（図１）を載置し、且つ前記拡大鏡８の下方に位置するように曲面１８ｓに沿って移動させて調べる。これにより、スケーラ１のシャンク１ｂが三次元的に複雑な形状に曲がっている場合でも当該スケーラ１を回しながら曲面１８ｓに沿って移動させることで拡大鏡８の焦点に刃先１ｆを合わせながら連続的に調べることが可能となる。尚、曲面１８ｓは、上述とは反対に両側部の下部位置から上端中央部に向かって上に凸の滑らかな円弧状の曲面としても良い。
【００２９】
図１３は、照明灯１１を支持する支持部材の第２の実施形態を示す。支持部材３０は、支柱３１がベース３２により基盤４に垂設されており、支柱３１にホルダ３２の基端部が矢印で示すように昇降自在に嵌挿され、ねじ３３により所望の高さ位置に固定可能とされている。ホルダ３２の先端にはボールジョイント３４を介して円筒状のホルダ３５が矢印で示すように３６０°の範囲に亘り回動自在に支持され、ねじ３６により所望の回動位置に固定可能とされている。そして、円筒状のホルダ３５には照明灯１１が矢印で示すように進退自在に装着され、ねじ３７により所望の位置に固定可能とされている。この支持部材３０を図３に示すエッジ検査装置３に使用することで、照明位置、照明箇所を最適位置に簡単に設定することができ、被検査対象物のエッジを良好に調べることが可能となる。
【００３０】
尚、上記実施形態においては被検査対象物のエッジ検査として歯科治療器具の中のスケーラの刃先を検査する場合について記述したが、スケーラの他に抜歯の治療に使用するへーベルや神経の治療に使用するリーマ等の複雑な形状をした刃先（エッジ）や形状の検査等にも適用し得ることは勿論である。
【００３１】
【発明の効果】
以上説明したように、本発明によれば、微小な被検査対象物のエッジの立ち具合や形状、研磨状態等を極めて簡単に、且つ良好に確認し、又は調べることができ、構成も簡単であり、安価で、使い勝手の良い簡易型のエッジ検査装置を提供することができる。特に、歯科治療用のスケーラ等の小器具の刃先を研磨する場合にその研磨角度、刃先（エッジ）の立ち具合や形状、滑らかさ等を簡単に確認し、又は調べることができ、作業性の向上が図られる。
【図面の簡単な説明】
【図１】歯科治療に使用するスケーラの先端部の一例を示す斜視図である。
【図２】図１の矢線II−IIに沿う断面図である。
【図３】本発明に係るエッジ検査装置の実施の形態を示す正面図である。
【図４】図３に示すエッジ検査装置の背面図である。
【図５】図３に示すエッジ検査装置のターンテーブル及びガイド部材の組立斜視図である。
【図６】図３に示すエッジ検査装置の使用例を示し、図１に示すスケーラの刃先を検査する場合の説明図である。
【図７】図１に示すスケーラの刃先の形状を簡単に検知する角度検出器の一例を示す斜視図である。
【図８】図７に示す角度検出器によりスケーラの刃先の状態を検知する場合の説明図である。
【図９】図３に示すエッジ検査装置により図８に示す角度検出器を用いてスケーラの刃先の状態を正確に検査する場合の説明図である。
【図１０】図９に示すエッジ検査装置によりスケーラの刃先を正確に調べる場合の一例を示す説明図である。
【図１１】図３に示すガイド部材の第２の実施形態を示す斜視図である。
【図１２】図３に示すガイド部材の第３の実施形態を示す斜視図である。
【図１３】図３に示すエッジ検査装置の照明灯を支持する支持部材の第２の実施形態を示す斜視図である。
【符号の説明】
１  スケーラ
１ａ  ハンドル
１ｂ  シャンク
１ｃ  刃部
１ｄ  上面
１ｅ  側面
１ｆ  刃先（エッジ）
３  エッジ検査装置
４  基盤
５  ターンテーブル
７、１６、１８  ガイド部材
８  拡大鏡（ルーペ）
９、１２、３０  支持部材
１１  照明灯
２１  角度検出器
２２  ホルダ
２３  マグネット
２４〜２６  指示ピン
【図１】
0004159077.tif 000002
【図２】
0004159077.tif 000003
【図３】
0004159077.tif 000004
【図４】
0004159077.tif 000005
【図５】
0004159077.tif 000006
【図６】
0004159077.tif 000007
【図７】
0004159077.tif 000008
【図８】
0004159077.tif 000009
【図９】
0004159077.tif 000010
【図１０】
0004159077.tif 000011
【図１１】
0004159077.tif 000012
【図１２】
0004159077.tif 000013
【図１３】
0004159077.tif 000014